(57)【要約】【課題】複数のキャビティが設けられているハウジングと、このハウジングのキャビティのそれぞれに挿入されて設置される複数の端子とを備えて構成されたコネクタにおいて、お互いが隣接しているキャビティ間の距離（ピッチ）を小さくする。【解決手段】複数のキャビティ７が設けられているハウジング３と、ハウジング３の各キャビティ７のそれぞれに挿入されてハウジング３に設置される複数の端子５と、ハウジング３に設けられ、１本でハウジング３に設置された複数の端子５を係止するランス９とを有するコネクタ１である。【選択図】図１
2015090846.tif 000002
【特許請求の範囲】
【請求項１】
複数のキャビティが設けられているハウジングと、
前記ハウジングの各キャビティのそれぞれに挿入されて前記ハウジングに設置される複数の端子と、
前記ハウジングに設けられ、１本で前記ハウジングに設置された複数の端子を係止するランスと、
を有することを特徴とするコネクタ。
【請求項２】
請求項１に記載のコネクタにおいて、
前記１本のランスで係止される前記複数の端子が一体化されていることを特徴とするコネクタ。
【請求項３】
請求項２に記載のコネクタにおいて、
前記１本のランスで係止される前記複数の端子が、これらの端子と電線との接続部をシールしているシール部材によって一体化されていることを特徴とするコネクタ。
【請求項４】
複数の端子のそれぞれが挿入される複数のキャビティと、
１本で前記各キャビティのそれぞれに挿入された複数の端子を係止するランスと、
を有することを特徴とするコネクタのハウジング。
【発明の詳細な説明】
【技術分野】
【０００１】
本発明は、コネクタおよびコネクタのハウジングに係り、特に、１つのハウジングに複数の端子が設置されるものに関する。
【背景技術】
【０００２】
従来、図１１〜図１６で示すようなコネクタ３０１が知られている（たとえば、特許文献１参照）。
【０００３】
コネクタ３０１は、ハウジング３０３内のキャビティ３０５に挿入される端子金具（端子）３０７と、キャビティ３０５の内壁に沿った形態であって、キャビティ３０５に対する端子金具３０７の挿入方向と交差する方向へ弾性撓み可能に形成したランス３０９とを備えて構成されている。
【０００４】
そして、キャビティ３０５に挿入された端子金具３０７をランス３０９の係止作用により抜止め状態に保持するようになっている。
【０００５】
なお、コネクタ３０１では、ハウジング３０３に複数のキャビティ３０５が設けられており、ランス３０９が一極毎に成形されている。すなわち、複数のキャビティ３０５のそれぞれにランス３０９が設けられている（１つのキャビティ３０５に対して１つのランス３０９が設けられている）。
【０００６】
そして、各キャビティ３０５のそれぞれに複数の端子３０７のそれぞれが挿入されて設置され、各ランス３０９のそれぞれによって、設置された各端子３０７の抜け止めがなされるようになっている。
【先行技術文献】
【特許文献】
【０００７】
【特許文献１】特開２０１１−１８５６５号公報
【発明の概要】
【発明が解決しようとする課題】
【０００８】
ところで、従来のコネクタ３０１では、キャビティ３０５に設けられているランス３０９を片持ち梁状にして、端子３０７をキャビティ３０５に挿入するときに端子３０７で押すことで撓ませる必要があるので、図８（ａ）や図１１（ｂ）で示すように、キャビティ３０５の側壁３１１とランス３０９との間に間隙３１３を形成する必要がある。
【０００９】
この間隙３１３によって、お互いが隣接しているキャビティ３０５間の距離（ピッチ）ＰＡ（図８（ａ）、図１５（ａ）参照）が大きくなってしまうという問題がある。
【００１０】
本発明は、上記問題点に鑑みてなされたものであり、複数のキャビティが設けられているハウジングと、このハウジングのキャビティのそれぞれに挿入されて設置される複数の端子とを備えて構成されたコネクタにおいて、お互いが隣接しているキャビティ間の距離（ピッチ）を小さくすることができるコネクタを提供することを目的とする。
【課題を解決するための手段】
【００１１】
請求項１に記載の発明は、複数のキャビティが設けられているハウジングと、前記ハウジングの各キャビティのそれぞれに挿入されて前記ハウジングに設置される複数の端子と、前記ハウジングに設けられ、１本で前記ハウジングに設置された複数の端子を係止するランスとを有するコネクタである。
【００１２】
請求項２に記載の発明は、請求項１に記載のコネクタにおいて、前記１本のランスで係止される前記複数の端子が一体化されているコネクタである。
【００１３】
請求項３に記載の発明は、請求項２に記載のコネクタにおいて、前記１本のランスで係止される前記複数の端子が、これらの端子と電線との接続部をシールしているシール部材によって一体化されているコネクタである。
【００１４】
請求項４に記載の発明は、複数の端子のそれぞれが挿入される複数のキャビティと、１本で前記各キャビティのそれぞれに挿入された複数の端子を係止するランスとを有するコネクタのハウジングである。
【発明の効果】
【００１５】
本発明によれば、複数のキャビティが設けられているハウジングと、このハウジングのキャビティのそれぞれに挿入されて設置される複数の端子とを備えて構成されたコネクタにおいて、お互いが隣接しているキャビティ間の距離（ピッチ）を小さくすることができるコネクタを提供することができるという効果を奏する。
【図面の簡単な説明】
【００１６】
【図１】本発明の実施形態に係るコネクタの概略構成を示す斜視図である。
【図２】本発明の実施形態に係るコネクタの概略構成を示す斜視図であって、端子がハウジングから離れている状態を示す図であり、一部を断面とした図である。
【図３】図２に示す状態から端子を移動し端子をハウジングに設置する途中の状態を示す図である。
【図４】図３に示す状態において、端子の表示を省略し、ハウジングを別の角度から見た斜視図であって、一部を断面とした図である。
【図５】図３に示す状態から端子をさらに移動し端子をハウジングに設置し終えた状態を示す図である。
【図６】図５に示す状態において、端子の表示を省略し、ハウジングを別の角度から見た斜視図であって、一部を断面とした図である。
【図７】本発明の実施形態に係るコネクタの端子の概略構成を示す斜視図である。
【図８】コネクタのハウジングの模式的に示すとともに前後方向から見た図であって、（ａ）は従来のコネクタのハウジングを示しており、（ｂ）は本発明の実施形態に係るコネクタのハウジングを示している。
【図９】（ａ）は図８（ａ）におけるＩＸＡ−ＩＸＡ断面図であり、（ｂ）は図８（ａ）におけるＩＸＢ−ＩＸＢ断面図であり、（ｃ）は図８（ａ）におけるＩＸＣ−ＩＸＣ断面図である。
【図１０】（ａ）は図８（ｂ）におけるＸＡ−ＸＡ断面図であり、（ｂ）は図８（ｂ）におけるＸＢ−ＸＢ断面図であり、（ｃ）は図８（ｂ）におけるＸＣ−ＸＣ断面図であり、（ｄ）は図８（ｂ）におけるＸＤ−ＸＤ断面図である。
【図１１】従来のコネクタを示す図である。
【図１２】従来のコネクタを示す図である。
【図１３】従来のコネクタを示す図である。
【図１４】従来のコネクタを示す図である。
【図１５】従来のコネクタを示す図である。
【図１６】従来のコネクタを示す図である。
【発明を実施するための形態】
【００１７】
本発明の実施形態に係るコネクタ１は、図１〜図７で示すように、ハウジング３と複数の端子（たとえばメス端子）５とを備えて構成されている。
【００１８】
ハウジング３には、複数のキャビティ（端子収容部）７が設けられている。各キャビティ７は、横方向でお互いが隣接しならんでいる。なお、本件明細書では、説明の便宜のために、所定の一方向を前後方向とし、前後方向に対して直交する所定の一方向を横方向とし、前後方向と横方向に対して直交する方向を縦方向とする。
【００１９】
各端子５のそれぞれは、ハウジング３のキャビティ７のそれぞれに挿入されて収容されハウジング３に設置されるようになっている。
【００２０】
ハウジング３には、ランス９が設けられている。ランス９はハウジング３の一部を構成している。ランス９は１本でハウジング３に設置された複数の端子５を係止し各端子５の抜け止めをするように構成されている。
【００２１】
また、１本のランス９で係止される複数の端子５は、ハウジング３から離れている状態であっても（ハウジング３に設置される前であっても）、一体化されている。もちろん、ハウジング３に設置され１本のランス９で係止された後も一体化されている。すなわち、複数の端子５は、常に一体化されている。
【００２２】
複数の端子５は、これらの端子５と各端子５に接続されている電線１１との接続部（電線接続部）を覆ってシールしているシール部材１３によって一体化されている。
【００２３】
ここで、コネクタ１についてさらに詳しく説明する。
【００２４】
端子５は、相手側端子（たとえばオス端子）が接続される相手側端子接続部（たとえば箱状部）１４と連結部１５とワイヤバレル部（芯線カシメ保持部）１７とインシュレーションバレル部（シースカシメ保持部）１９とを備えて構成されている。相手側端子接続部１４と連結部１５とワイヤバレル部１７とインシュレーションバレル部１９とは、前後方向で前側から後側に向かってこの順にならんでつながっている。
【００２５】
また、ハウジング３に設けられているキャビティ７に端子５を設置するときの端子５の挿入方向は前後方向になっている。
【００２６】
電線１１は、芯線２３とこの芯線２３を覆っているシース（絶縁性の被覆体）２５とを備えて構成されている。電線１１の長手方向の一端部（前後方向前端部）でシース２５が除去されて芯線２３が露出している。
【００２７】
この露出している芯線２３の少なくとも一部の部位がワイヤバレル部１７で囲まれて保持されており、前記露出している芯線２３近傍のシース２５の部位がインシュレーションバレル部１９で囲まれて保持されている。これにより、電線１１に端子５が設置されている（端子５に電線１１が設置されている）。
【００２８】
シール部材（シール体）１３は、ワイヤバレル部１７からインシュレーションバレル部１９近傍の電線１１の部位にわたりワイヤバレル部１７とインシュレーションバレル部１９と電線１１の一部とを覆うように、電線１１と端子５とに密着して、たとえばモールドによって一体的に設けられている。
【００２９】
ワイヤバレル部１７で電線１１の芯線２３を保持し、インシュレーションバレル部１９で電線１１のシース２５を保持している端子付き電線（電線保持端子）２７では、相手側端子接続部１４の反対側（端子５の後側）から電線１１が後方に向かって延出している。
【００３０】
シール部材１３は、図７等で示すように、たとえば２つの端子付き電線２７に一体的に設けられており、シール部材１３によって、２つの端子付き電線２７が一体化している。ここで、シール部材１３とシール部材１３が設けられて一体化している２つの端子付き電線２７とを、シール部材設置済み端子付き電線（端子結合体）２９とする。端子結合体２９では、２つの端子付き電線２７は横方向にならんでいる。
【００３１】
端子結合体２９を、各端子付き電線２７の相手側端子接続部１４を前にしワイヤバレル部１７やインシュレーションバレル部１９や電線１１を後にして、ハウジング３の２つのキャビティ７に挿入し、シール部材設置済み端子付き電線２９をハウジング３に設置したとき、シール部材１３の外周がハウジング３のキャビティ７の内周の所定の部位に接触し、この接触によってハウジング３とシール部材１３との間のシールがなされるように構成されている。
【００３２】
また、ハウジング３には、上述したようにランス９が設けられている。ランス９は、1本で２つのキャビティ７のそれぞれに収容されたシール部材設置済み端子付き電線２９（２つの端子付き電線２７のそれぞれ）に係合してシール部材設置済み端子付き電線２９の抜け止め（シール部材設置済み端子付き電線２９の後方への移動）をするようになっている（図５参照）。
【００３３】
ランス９は、片持ち梁状に形成されており前後方向に延びている。ランス９の基端３３は、シール部材設置済み端子付き電線２９の挿入方向（前後方向）で、キャビティ７に収容されたシール部材設置済み端子付き電線２９から離れてシール部材設置済み端子付き電線２９前側に位置している。
【００３４】
ランス９の先端３５は、シール部材設置済み端子付き電線２９の挿入方向（前後方向）で基端３３よりも後側に位置している。ランス９の先端部（後端部）には係止部３７が設けられている。
【００３５】
そして、キャビティ７に収容されたシール部材設置済み端子付き電線２９の相手側端子接続部１４に係止部３７が係合することで、上述した端子５の抜け止めがなされるように構成されている。
【００３６】
１本のランス９には、図４、図６や図８（ｂ）で示すように、２つの係止部３７が設けられており、２つの係止部３７は、横方向でお互いが離れている。シール部材設置済み端子付き電線２９がキャビティ７に収容されランス９による抜け止めがされている状態では、シール部材設置済み端子付き電線２９の２つの相手側端子接続部１４のそれぞれに、２つの係止部３７のそれぞれが係合し上述した端子結合体２９の抜け止めがなされるように構成されている。また、ランス９の先端（後端）３５と、シール部材１３とが、前後方向で僅かに離れている。
【００３７】
シール部材１３は、前後方向で、前端がワイヤバレル部１７のたとえば前端（中間部であってもよい）のところに位置し、後端がインシュレーションバレル部１９から僅かに後側のシース２５の箇所のところに位置している。シール部材設置済み端子付き電線２９がキャビティ７に収容されランス９による抜け止めがなされている状態では、シール部材設置済み端子付き電線２９がハウジング３に対してもっとも前側に位置しており、ランス９の後端とシール部材１３の前端とが僅かに離れている。
【００３８】
端子５は、金属等の導電性材料で構成された板状の素材を所定形状にし、この所定形状にしたものに適宜折り曲げ加工を施すことで生成されている。相手側端子接続部１４は、矩形な筒状になっており、矩形な筒の内側には、弾性片４１が設けられている。また、相手側端子接続部１４の４つの側壁部のうちの１つの側壁部には、ランス９の係止部３７が係合する切り欠き４３が設けられている。
【００３９】
１つの端子５におけるワイヤバレル部１７は、一対で形成されており、端子付き電線２７では、ワイヤバレル部１７が、シース２５が除去されて露出している芯線２３を囲んでいる。１つの端子５におけるインシュレーションバレル部１９も、一対で形成されており、端子付き電線２７では、インシュレーションバレル部１９が、シース２５の前端よりも僅かに後側の部位で電線１１のシース２５の外周のほぼ全周に被さっている。
【００４０】
ハウジング３は、たとえば合成樹脂等の絶縁性の材料で一体成形されている。キャビティ７は、ハウジング３の後端から前側に凹んで形成されており、前側部位４５と後側部位４７とを備えて構成されている。
【００４１】
前側部位４５は、端子５の相手側端子接続部１４の外形とほぼ同形状である四角柱状に形成されており、端子結合体２９における端子５の数に合わせてたとえば２つ形成されている。これにより、ハウジング３には、２つのキャビティが設けられているものと考えることができる。
【００４２】
後側部位４７は、底面は長円状である柱状に形成されている。前側部位４５の一方の中心軸と後側部位４７の中心軸（長円の一方の円の中心軸）とはお互いが一致しており、前側部位４５の他方の中心軸と後側部位４７の中心軸（長円の他方の円の中心軸）とはお互いが一致している。長円状の後側部位４７を形成する円の内径は、四角柱状の前側部位４５の外径（たとえば、四角柱の底面の矩形の対角線の長さ）よりも大きくなっている。
【００４３】
ランス９は、２つの前側部位４５のまがたって設けられており、前後方向では、ランス９の先端（後端）の位置と、前側部位４５の後端の位置とがお互いがほぼ一致している。前側部位４５の前端（キャビティ７の底）と、ハウジング３の前端との間には貫通孔４９が形成されている。
【００４４】
さらに説明すると、前側部位４５は、図８（ｂ）で示すように、縦方向の一対の仕切り壁７３と、横方向の一対の仕切り壁７５とで囲まれているとともに、仕切り壁７１よって仕切られていることで２つになっている。
【００４５】
1本のランス９は、縦方向の一対の仕切り壁７３のうちの一方の仕切り壁７３のところに形成されている。一方の仕切り壁７３の横方向の両端部と前端部とには、切り欠き７７が形成されており、これによって、片持ち梁状のランス９が生成されている。なお、縦方向から見ると、切り欠き７７は「コ」字状に形成されている。
【００４６】
１本のランス９の先端部には、前述したように２つの係止部３７が形成されており、２つの係止部３７は、横方向の中央部に切り欠き７９があることで、横方向で仕切り壁７１の厚さとほぼ同程度離れている。なお、切り欠き７９を削除した構成であってもよい。また、ランス９との干渉を避けるための切り欠き８１が、仕切り壁７１に設けられている。切り欠き８１は、縦方向で仕切り壁７１の端部（ランス９側の端部）に設けられている。
【００４７】
また、ハウジング３には、筒状の凹部５１が設けられている。凹部５１は、ハウジング３の前端から後側に凹んで形成されている。凹部５１が設けられていることで、ハウジング３には、凸部５３が形成されており、２つのキャビティ７（前側部位４５）やランス９は凸部５３の内側に位置している。凸部５３の外周には、環状のパッキン５５が設置されている。筒状の凹部５１の外側には、弾性アーム５９が設けられている。
【００４８】
端子（たとえば２つのオス端子）が設置された相手側コネクタ（図示せず）が、シール部材設置済み端子付き電線２９が設置されたハウジング３（コネクタ１）に設置されると、相手側コネクタが凹部５１に入り込んでパッキン５５と弾性アーム５９とに係合し、コネクタ１と相手側コネクタとの間のシールがなされるとともに、相手側コネクタのコネクタ１からの抜け止めがなされるように構成されている。
【００４９】
また、２つの端子が設置された相手側コネクタがコネクタ１に設置されると、相手側コネクタの端子のそれぞれがハウジング３の貫通孔４９のそれぞれを通って、２つの端子５それぞれの相手側端子接続部１４内に入り込み、相手側コネクタの端子のそれぞれと端子５それぞれとの接続がなされるようになっている。
【００５０】
シール部材１３は、たとえば合成樹脂等の絶縁性の材料（ゴムを含む）で一体成形されている。ただし、シール部材１３の弾性係数はハウジング３の弾性係数よりも小さく、シール部材１３は、ハウジング３に比べて弾性変形しやすくなっている。
【００５１】
シール部材１３は、たとえば、後側部位４７とほぼ同様な長円柱状に形成されており、シール部材１３の中心軸（２つの円の中心軸）のそれぞれと２本の電線１１の中心軸のそれぞれとはお互いが一致している。さらに説明すると、シール部材１３では、前後方向（柱の中心軸の延伸方向）で、大径部６１と小径部６３とが交互に繰り返されている。
【００５２】
大径部６１の外径は、キャビティ７の後側部位４７の内径よりも僅かに大きくなっており、小径部６３の外径は、キャビティ７の後側部位４７の内径よりも僅かに小さくなっている。
【００５３】
シール部材設置済み端子付き電線２９をハウジング３に設置し終えたとき、後側部位４７の内壁で押圧されることで、大径部６１が潰れて、シール部材設置済み端子付き電線２９とハウジング３の間のシールがなされるようになっている。
【００５４】
ここで、シール部材設置済み端子付き電線２９の製造について説明する。まず、電線１１のシース２５を適宜除去し、一端部で芯線２３を露出させる。続いて、端子５を電線１１に設置する。これによって端子付き電線２７が生成される。この端子付き電線２７を複数本（たとえば２本）生成する。
【００５５】
続いて、複数本（たとえば２本）の端子付き電線２７を横方向にならべて、シール部材１３をたとえばモールドによって、２本の端子付き電線２７の端子５と電線１１とに密着させて一体的に設置する。これによって、端子結合体２９が生成される。
【００５６】
次に、シール部材設置済み端子付き電線２９のハウジング３への設置について説明する。
【００５７】
初期状態として、図２で示すように、シール部材設置済み端子付き電線２９がハウジング３の後方でハウジング３から離れているものとする。このとき、シール部材設置済み端子付き電線２９は、相手側端子接続部１４が前側になり、電線１１が後側になっており、横方向および縦方方向で、２つのキャビティ７の位置と、シール部材設置済み端子付き電線２９の２つの端子５の位置とがお互いに一致している。
【００５８】
上記初期状態において、ハウジング３に対してシール部材設置済み端子付き電線２９を前方に移動すると、端子５がキャビティ７に入り込み、端子５の先端がランス９先端部の斜面６５に当接し、ランス９が弾性変形して撓み、シール部材１３がキャビティ７の後側部位４７に入り込み始める（図３、図４参照）。
【００５９】
シール部材設置済み端子付き電線２９をさらに前方に移動すると、端子５の前端がキャビティ７の底（前端面）に当接し、ランス９が復元し、１本のランス９の２つの係止部３７のそれぞれが２つの相手側端子接続部１４それぞれの切り欠き４３に入り込み、シール部材設置済み端子付き電線２９の抜け止めがなされ、シール部材１３がキャビティ７の後側部位４７に入り込み、ハウジング３とシール部材１３との間のシール（止水）がなされる（図５、図６参照）。
【００６０】
コネクタ１によれば、１本のランス９でハウジング３に設置された複数の端子５を係止するように構成されているので、従来のような間隙（ランス９とキャビティ７の側壁との間の間隙）が不要となり、お互いが隣接しているキャビティ７間の距離（ピッチ）を小さくすることができる。
【００６１】
これによって、お互いが隣接している２つのキャビティ７のそれぞれに２つの端子５のそれぞれが挿入されてランス９による抜け止めがなされる場合を例に掲げて詳しく説明する。お互いが隣接している２つのキャビティ７は前述したように横方向にならんでいる。
【００６２】
従来のコネクタでは、お互いが隣接している２つのキャビティ２０３は、図８（ａ）で示すように、側壁２０１で２つに仕切られている。そして、側壁２０１とランス２０５との間の空隙２０７によって、側壁２０１とランス２０５とが寸法Ｐ１だけ離れている。
【００６３】
これに対して、コネクタ１では、図８（ｂ）で示すように、仕切り壁（側壁）７１で各キャビティ７が仕切られているが、仕切り壁７１とランス９との間では、横方向で間隙が不要になっており空隙が非存在であるので、お互いが隣接している２つのキャビティ７のピッチＰＢ（図８（ｂ）参照）を、図８（ａ）に示すピッチＰＡよりも、「２×Ｐ１」だけ小さくすることができる。
【００６４】
なお、図８は、コネクタ１を模式的に示したものであるので、ランス９，２０５等の形態が、図２〜図６で示したものと相違している。
【００６５】
また、コネクタ１によれば、１本のランス９で係止される複数の端子５が、これらの端子５と電線１１との接続部をシールしているシール部材１３によって一体化されているので、端子５のハウジング３への設置工数を削減することができ、端子５と電線１１との接続部のシールがなされているとともに、ハウジング３とシール部材１３（端子結合体２９）との間のシールがなされる。
【符号の説明】
【００６６】
１  コネクタ
３  ハウジング
５  端子
７  キャビティ
９  ランス
１１  電線
１３  シール部材
【図１】
2015090846.tif 000003
【図２】
2015090846.tif 000004
【図３】
2015090846.tif 000005
【図４】
2015090846.tif 000006
【図５】
2015090846.tif 000007
【図６】
2015090846.tif 000008
【図７】
2015090846.tif 000009
【図８】
2015090846.tif 000010
【図９】
2015090846.tif 000011
【図１０】
2015090846.tif 000012
【図１１】
2015090846.tif 000013
【図１２】
2015090846.tif 000014
【図１３】
2015090846.tif 000015
【図１４】
2015090846.tif 000016
【図１５】
2015090846.tif 000017
【図１６】
2015090846.tif 000018